(57)【要約】【課題】本来の色フォーマット形式と出力すべき色フォーマットとが異なっている場合でも、本来、用意された忠実な色でカラーデータを出力することができる。【解決手段】輝度成分と色差成分とで定義される第１のカラーデータを入力し、入力された第１のカラーデータにおける各画素データの色差成分のビットデータ同士が一致するか否かを判断する。そして、第１のカラーデータにおける各画素データの色差成分のビットデータ同士が一致していないと判断された場合に、画素データをフィルタリング処理して色差成分のビットデータがより少ない第２のカラーデータに対応する画素データを生成し、生成された画素データからなる第２のカラーデータを出力する。【選択図】      図２
2009124224.tif 000002
【特許請求の範囲】
【請求項１】
輝度成分と色差成分とで定義される第１のカラーデータを入力する入力手段と、
該入力手段により入力された前記第１のカラーデータにおける各画素データの色差成分のビットデータ同士が一致するか否かを判断する判断手段と、
該判断手段により、前記第１のカラーデータにおける各画素データの色差成分のビットデータ同士が一致していないと判断された場合に、前記画素データをフィルタリング処理して色差成分のビットデータがより少ない第２のカラーデータに対応する画素データを生成する第１の生成手段と、
該第１の生成手段により生成された画素データからなる前記第２のカラーデータを出力する出力手段と、
を備えることを特徴とするカラーデータ処理装置。
【請求項２】
前記第１の生成手段は、ローパスフィルタを含むことを特徴とする請求項１に記載のカラーデータ処理装置。
【請求項３】
前記判断手段によって前記第１のカラーデータにおける各画素データの色差成分のビットデータ同士が一致していると判断した場合、該一致した色差成分毎にビットデータ同士が共通するよう第３のカラーデータを生成する第２の生成手段を更に備え、
前記出力手段は前記第１の生成手段によって生成された画素データからなる前記第２のカラーデータと、前記第２の生成手段によって生成された画素データとからなる前記第３のカラーデータとを出力することを特徴とする請求項１又は２に記載のカラーデータ処理装置。
【請求項４】
前記入力手段により入力した前記第１のカラーデータから色差成分を分離する色差成分分離手段を更に備え、
前記第１の生成手段は、前記判断手段により前記第１のカラーデータにおける各画素データの色差成分のビットデータ同士が一致していないと判断された場合、前記画素データのうち、前記色差成分分離手段により分離された色差成分のみにフィルタリング処理を行い、色差成分のビットデータがより少ない前記第２のカラーデータに対応する画素データを生成することを特徴とする請求項１乃至３の何れかに記載のカラーデータ処理装置。
【請求項５】
前記第１のカラーデータはＹＵＶ＝４：４：４形式のデータであるとともに、前記第２のカラーデータはＹＵＶ＝４：２：２形式のデータであることを特徴とする請求項１乃至４の何れかに記載のカラーデータ処理装置。
【請求項６】
コンピュータを、
輝度成分と色差成分とで定義される第１のカラーデータを入力する入力手段、
該入力手段により入力された前記第１のカラーデータにおける各画素データの色差成分のビットデータ同士が一致するか否かを判断する判断手段、
該判断手段により、前記第１のカラーデータにおける各画素データの色差成分のビットデータ同士が一致していないと判断された場合に、前記画素データをフィルタリング処理して色差成分のビットデータがより少ない第２のカラーデータに対応する画素データを生成する第１の生成手段、
該第１の生成手段により生成された画素データからなる前記第２のカラーデータを出力する出力手段、
として機能させることを特徴とする表示データ処理プログラム。
【発明の詳細な説明】
【技術分野】
【０００１】
本発明は、外部の表示装置に出力するべき表示データを処理するカラーデータ処理装置および表示データ処理プログラムに関する。
【背景技術】
【０００２】
従来より、色フォーマット形式がＹＵＶ＝４：４：４のカラー映像を表示する表示装置においては、例えば、入力される映像の色フォーマット形式がＹＵＶ＝４：２：２である場合には、Ｕ及びＶに対するビットデータを倍に増やして、ＹＵＶ＝４：４：４に変換する処理を行って、映像の表示を行っていた（例えば、特許文献１参照。）。
【特許文献１】特開２００２−２７１８１１号公報  第５頁）
【０００３】
また、このカラー映像にＯＳＤ（Ｏｎ  Ｓｃｒｅｅｎ  Ｄｉｓｐｌａｙ）データを合成して、表示データを生成する場合、カラー表示装置が、ＹＵＶ＝４：４：４のＯＳＤデータを予め備えているために、先に、ＹＵＶ＝４：２：２からＹＵＶ＝４：４：４に変換された映像に、ＹＵＶ＝４：４：４のＯＳＤデータを合成して表示装置に表示させていた。
【発明の開示】
【発明が解決しようとする課題】
【０００４】
しかしながら、このような合成表示データをＹＵＶ＝４：２：２で出力することを要求される場合、ＹＵＶ＝４：４：４形式のＯＳＤデータについては、画素データのビット数を減らしてＹＵＶ＝４：２：２形式に変換する必要があるが、色フォーマット形式の違いから本来の色でない偽色を生成する問題が生じていた。
【０００５】
そこで、本発明は、上述の課題に鑑みてなされたものであり、本来の色フォーマット形式と出力すべき色フォーマットとが異なっている場合でも、本来、用意された忠実な色でカラーデータを出力することができるカラーデータ処理装置および表示データ処理プログラムを提供することを目的とする。
【課題を解決するための手段】
【０００６】
上記の課題を解決するため、請求項１に記載の発明は、輝度成分と色差成分とで定義される第１のカラーデータを入力する入力手段と、該入力手段により入力された前記第１のカラーデータにおける各画素データの色差成分のビットデータ同士が一致するか否かを判断する判断手段と、該判断手段により、前記第１のカラーデータにおける各画素データの色差成分のビットデータ同士が一致していないと判断された場合に、前記画素データをフィルタリング処理して色差成分のビットデータがより少ない第２のカラーデータに対応する画素データを生成する第１の生成手段と、該第１の生成手段により生成された画素データからなる前記第２のカラーデータを出力する出力手段と、を備えることを特徴とする。
【０００７】
また、請求項２に記載の発明は、上記請求項１記載の発明において、前記第１の生成手段は、ローパスフィルタを含むことを特徴とする。
【０００８】
また、請求項３に記載の発明は、上記請求項１又は２に記載の発明において、前記判断手段によって前記第１のカラーデータにおける各画素データの色差成分のビットデータ同士が一致していると判断した場合、該一致した色差成分毎にビットデータ同士が共通するよう第３のカラーデータを生成する第２の生成手段を更に備え、前記出力手段は前記第１の生成手段によって生成された画素データからなる前記第２のカラーデータと、前記第２の生成手段によって生成された画素データとからなる前記第３のカラーデータとを出力することを特徴とする
【０００９】
また、請求項４に記載の発明は、上記請求項１乃至３の何れかに記載の発明において、前記入力手段により入力した前記第１のカラーデータから色差成分を分離する色差成分分離手段を更に備え、前記第１の生成手段は、前記判断手段により前記第１のカラーデータにおける各画素データの色差成分のビットデータ同士が一致していないと判断された場合、前記画素データのうち、前記色差成分分離手段により分離された色差成分のみにフィルタリング処理を行い、色差成分のビットデータがより少ない前記第２のカラーデータに対応する画素データを生成することを特徴とする。
【００１０】
また、請求項５に記載の発明は、請求項１乃至４の何れかに記載の発明において、前記第１のカラーデータはＹＵＶ＝４：４：４形式のデータであるとともに、前記第２のカラーデータはＹＵＶ＝４：２：２形式のデータであることを特徴とする。
【００１１】
また、上記の課題を解決するため、請求項６に記載の発明は、コンピュータを、輝度成分と色差成分とで定義される第１のカラーデータを入力する入力手段、該入力手段により入力された前記第１のカラーデータにおける各画素データの色差成分のビットデータ同士が一致するか否かを判断する判断手段、該判断手段により、前記第１のカラーデータにおける各画素データの色差成分のビットデータ同士が一致していないと判断された場合に、前記画素データをフィルタリング処理して色差成分のビットデータがより少ない第２のカラーデータに対応する画素データを生成する第１の生成手段、該第１の生成手段により生成された画素データからなる前記第２のカラーデータを出力する出力手段、として機能させることを特徴とする。
【発明の効果】
【００１２】
本発明によれば、本来の色フォーマット形式と出力すべき色フォーマットとが異なっている場合でも、本来、用意された忠実な色でカラーデータを出力することができるという効果がある。
【発明を実施するための最良の形態】
【００１３】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。なお、以下では、カラーデータ処理装置を搭載した機器の一例として、撮像装置を例にとって説明する。
【００１４】
＜第１の実施形態＞
以下、図１から図４を用いて、本発明の第１の実施形態について、説明する。
【００１５】
＜撮像装置の電気的構成＞
本実施形態に係る撮像装置１００は、図１に示すように、ストロボ発光部１０と、キー入力部２０と、ＬＣＤ２１と、レンズ３０と、レンズ駆動ブロック３１と、絞り兼用シャッター３２と、ＣＣＤ４０と、画像処理部４１と、外部表示Ｉ／Ｆ（Ｉｎｔｅｒｆａｃｅ）４２と、外部通信Ｉ／Ｆ（Ｉｎｔｅｒｆａｃｅ）４３と、ストロボ駆動部４４と、記録メディア４５と、記録メディアＩ／Ｆ（Ｉｎｔｅｒｆａｃｅ）４６と、メモリ４７と、ＤＲＡＭ（Ｄｙｎａｍｉｃ  Ｒａｎｄｏｍ  Ａｃｃｅｓｓ  Ｍｅｍｏｒｙ）４８と、ＣＰＵ（Ｃｅｎｔｒａｌ  Ｐｒｏｃｅｓｓｉｎｇ  Ｕｎｉｔ）６０と、カラーデータ処理部７０と、を備えており、記録メディアＩ／Ｆ４６には、図示しない撮像装置１００本体のカードスロットにメモリカード等の記録メディア４５が着脱可能に接続される。
【００１６】
キー入力部２０は、モードダイヤル、電源ボタン、シャッターボタン、Ｐｌａｙボタン、Ｒｅｃボタン、動画ボタン、ＳＥＴキー、コントロールボタン、ＭＥＮＵボタン、ＤＩＳＰキー等の複数の操作キーを含み、ユーザのキー操作に応じた操作信号をＣＰＵ６０に出力する。
【００１７】
レンズ３０は、フォーカスレンズ、ズームレンズを含み、レンズ駆動ブロック３１が接続されている。このレンズ駆動ブロック３１は、図示しないフォーカスレンズ、ズームレンズをそれぞれ撮像面と平行な光軸方向に駆動させるフォーカスモータおよびズームモータと、ＣＰＵ６０からの制御信号にしたがってフォーカスモータおよびズームモータをそれぞれ駆動させるフォーカスドライバおよびズームモータドライバから構成されている。
【００１８】
絞り兼用シャッター３２は、図示しない駆動回路を含み、この駆動回路はＣＰＵ６０から送られてくる制御信号にしたがって絞り兼用シャッターを動作させる。なお、この絞り兼用シャッター３２は、絞りとシャッターとして機能する。
【００１９】
ここで、絞りとは、撮像レンズ３０から入ってくる光の量を制御する機構をいい、シャッターとは、ＣＣＤ４０に光を当てる時間を制御する機構をいう。また、ＣＣＤ４０に光を当てる時間（露出時間）は、シャッターの開閉速度（シャッター速度）によって変化するため、露出量は、この絞りとシャッター速度とによって定めることができる。
【００２０】
ＣＣＤ４０は、撮像レンズ３０および絞り兼用シャッター３２を介して投影された被写体の光を電気信号に変換し、撮像信号を画像処理部４１に出力する。また、ＣＣＤ４０は、図示しないタイミングジェネレータによって生成された所定周波数のタイミング信号にしたがって駆動する。
【００２１】
画像処理部４１は、ＣＣＤ４０から出力される撮像信号を相関二重サンプリングして保持するＣＤＳ（Ｃｏｒｒｅｌａｔｅｄ  Ｄｏｕｂｌｅ  Ｓａｍｐｌｉｎｇ）回路、そのサンプリング後の撮像信号の自動利得調整を行うＡＧＣ（Ａｕｔｏｍａｔｉｃ  Ｇａｉｎ  Ｃｏｎｔｒｏｌ）回路、その自動利得調整後のアナログの撮像信号をデジタル信号に変換するＡ／Ｄ変換器等から構成されており、また、ＣＣＤ４０から出力されるベイヤデータに対して、画像処理、例えば、画素補間処理、γ補正、輝度色差信号の生成、ホワイトバランス処理、露出補正処理等を行って、ＹＵＶカラーデータを生成する。さらに、生成したＹＵＶカラーデータをカラーデータ処理部７０に出力するとともに、生成したＹＵＶカラーデータに対して、画像データの圧縮・伸張（例えば、ＪＰＥＧ形式の圧縮・伸張）の処理を行い、必要に応じて、記録メディアにＪＰＥＧデータを送受信する。
【００２２】
外部表示Ｉ／Ｆ４２は、例えば、ＨＤＭＩケーブル等でテレビモニター等の外部表示装置と接続され、カラーデータ処理部７０において、処理されたカラーデータを出力する。
【００２３】
外部通信Ｉ／Ｆ４３は、外部の電子機器（例えば、パーソナルコンピュータ）との間でデータの入出力を行うものであり、ＵＳＢ規格、ＩＥＥＥ１３９４規格等の各種インターフェース規格による入出力を可能としており、これらの規格によるデータ入出力が可能なパソコン等の電子機器と接続可能となっている。また、ＩｒＤＡ規格による赤外線通信、Ｂｌｕｅｔｏｏｔｈ規格による無線通信により外部の電子機器と画像データの入出力を可能としているものでも良い。
【００２４】
ストロボ駆動部４４は、ＣＰＵ６０の制御信号にしたがって、ストロボ発光部１０を閃光駆動させ、ストロボ発光部１０は、これによりストロボを閃光させる。ＣＰＵ６０は、図示しない測光回路により、撮影シーンが暗いか否かを判断し、撮影シーンが暗いと判断し、かつ、撮影を行う場合（シャッターボタンの押下時）には、ストロボ駆動部４４に制御信号を出力する。
【００２５】
メモリ４７は、ＣＰＵ６０による撮像装置１００の各部の制御に必要なプログラムおよび各部の制御に必要なデータを記録格納しており、ＣＰＵ６０は、このプログラムにしたがって処理を実行する。
【００２６】
ＤＲＡＭ４８は、ＣＣＤ４０によって撮像され、画像処理部４１およびＣＰＵ６０において処理された画像データを格納する。また、ＣＰＵ６０のワーキングメモリとしても使用される。
【００２７】
ＣＰＵ６０は、ブレ補正処理等を行う機能を有するとともに、撮像装置１００の各部を制御プログラムにしたがって制御するワンチップマイコンであって、時刻を計時するクロック回路を含む。
【００２８】
カラーデータ処理部７０は、輝度成分と色差成分とから定義されるカラーデータを入力し、入力されたカラーデータにおける各画素データの色差成分のビットデータ同士が一致するか否かの判断を行って、入力したカラーデータにおける各画素データの色差成分のビットデータ同士が一致していない場合に、画素データをフィルタリング処理して色差成分のビットデータがより少ないカラーデータに対応する画素データを生成して、外部表示Ｉ／Ｆ４２を介して、テレビモニター等の外部表示装置に出力する。したがって、本来の色フォーマット形式と出力すべき色フォーマットとが異なっている場合でも、本来、用意された忠実な色でカラーデータを出力することができる。
【００２９】
ここで、輝度成分と色差成分とから定義されるカラーデータとは、ＲＧＢに対して、信号を輝度と色差で表すＹＵＶであり、一般に、１ピクセルあたり、８ｂｉｔ＋４ｂｉｔ＋４ｂｉｔ＝１６ｂｉｔで構成されるものをＹＵＶ＝４：２：２形式のデータといい、１ピクセルあたり、８ｂｉｔ＋８ｂｉｔ＋８ｂｉｔ＝２４ｂｉｔで構成されるものをＹＵＶ＝４：４：４形式のデータという。
【００３０】
本発明のカラーデータ処理部７０においては、入力されたカラーデータにおける各画素データの色差成分のビットデータ同士が一致するか否かの判断を行って、入力したカラーデータにおける各画素データの色差成分のビットデータ同士が一致していない場合に、画素データをフィルタリング処理して色差成分のビットデータがより少ないカラーデータに対応する画素データを生成し、出力することから、ＹＵＶ＝４：４：４形式のデータが入力された場合であっても、これをＹＵＶ＝４：２：２形式のデータに変換することによって、本来、用意された忠実な色でカラーデータを出力することができる。
【００３１】
また、ＹＵＶ＝４：２：２形式のデータとＹＵＶ＝４：４：４形式のデータとが合成されて入力された場合には、ＹＵＶ＝４：４：４形式のデータにのみ、上記の処理を施し、ＹＵＶ＝４：２：２形式のデータについては、そのまま出力することから、例えば、ＯＳＤのようなＹＵＶ＝４：４：４形式のデータの境界が奇数ビットあるいは偶数ビットになってしまった場合に、発生する偽色の発生を抑制することができる。
【００３２】
＜カラーデータ処理部の構成＞
図２を用いて、本実施形態に係るカラーデータ処理部の構成について説明する。
【００３３】
本実施形態に係るカラーデータ処理部７０は、図２に示すように、記憶メモリ７１と、ＤＭＡ（Ｄｉｒｅｃｔ  Ｍｅｍｏｒｙ  Ａｃｃｅｓｓ）コントローラ７２と、表示データ転送部７３と、外部表示データ変換部８０と、転送フォーマット変換部７５とから構成され、転送フォーマット変換部７５は、例えば、ＨＤＭＩ規格に準拠したＨＤＭＩケーブルを介して、テレビモニター等の外部表示装置７６と接続されている。
【００３４】
記憶メモリ７１は、画像データ等の表示データやＯＳＤデータを格納する記憶装置である。ＤＭＡコントローラ７２は、記憶メモリ７１から読み出した画像データ等の表示データやＯＳＤデータを後述する表示データ転送部７３へＤＭＡ転送する。
【００３５】
表示データ転送部７３は、ＤＭＡコントローラ７２からＤＭＡ転送された表示データとＯＳＤデータとを合成して、テレビモニター等の外部表示装置７６に表示するマップに併せて、上記合成したデータを拡大する。
【００３６】
外部表示データ変換部８０は、表示データ転送部７３から入力した表示データやＯＳＤデータに対して、ＹＵＶ＝４：４：４からＹＵＶ＝４：２：２へのデータ変換を行うとともに、ビットデータを並べ替えて、転送フォーマット変換部７５に対応する入力データを生成する。なお、構成の詳細については、後述する。
【００３７】
転送フォーマット変換部７５は、例えば、ＨＤＭＩ規格に準拠した外部表示装置７６への転送フォーマットにデジタルデータを変換する。
【００３８】
なお、本実施形態においては、記憶メモリ７１に格納されている表示データのアドレスおよびマップサイズが予め、表示データ転送部７３およびＤＭＡコントローラ７２に設定されており、表示データは、ＤＭＡコントローラ７２を経由して、表示データ転送部７３に送られる。
【００３９】
また、表示データは、例えば、ＪＰＥＧ（Ｊｏｉｎｔ  Ｐｈｏｔｏｇｒａｐｈｉｃ  Ｅｘｐｅｒｔｓ  Ｇｒｏｕｐ）からデコードされたデータであるため、記憶メモリ７１には、ＹＵＶ＝４：２：２形式のデータとして格納されている。一方、ＯＳＤデータは、１ビットあたりのＯＳＤコードとして格納されているため、記憶メモリ７１には、ＹＵＶ＝４：４：４形式のデータとして格納されている。
【００４０】
また、表示データ転送部７３では、テレビモニター等の外部表示装置７６の表示マップを取得して、表示データとＯＳＤデータとの合成を行い、さらに、合成したデータを拡大縮小処理して、外部表示データ変換部８０に送信する。
【００４１】
＜外部表示データ変換部の構成＞
次に、図３を用いて、本実施形態に係る外部表示データ変換部の構成について説明する。
【００４２】
本実施形態に係る外部表示データ変換部は、図３に示されるように、判断部８１と、ＬＰＦ（Ｌｏｗ  Ｐａｓｓ  Ｆｉｌｔｅｒ）８２と、切り換えスイッチ８３と、４：４：４／４：２：２変換部８４とから構成されている。
【００４３】
判断部８１は、表示データ転送部７３から入力した表示データに関して、奇数ビット・偶数ビットのＵ／Ｖ値を比較し、各画素データの色差成分のビットデータ同士が一致するか否かを判断し、その判断結果に応じて、切り換えスイッチ８３を操作する。
【００４４】
具体的には、各画素データの色差成分のビットデータ同士が一致する場合には、表示データ転送部７３から入力した表示データをそのまま４：４：４／４：２：２変換部８４に入力させるように切り換えスイッチ８３を操作し、各画素データの色差成分のビットデータ同士が一致しない場合には、４：４：４／４：２：２変換部８４への経路を遮断して、表示データ転送部７３から入力した表示データをＬＰＦ８２に入力するように、切り換えスイッチ８３を操作する。
【００４５】
ＬＰＦ８２は、入力データの高周波成分を除去して、入力データのデータ形式をＹＵＶ＝４：２：２に変換する。したがって、ＬＰＦという小規模な回路により、データ形式を変換して、従来問題となっていたＯＳＤ境界において生じる偽色の発生を抑制することができる。
【００４６】
４：４：４／４：２：２変換部８４は、切り換えスイッチ８３から入力するシリアルデータをＹＵＶ＝４：２：２のパラレルデータに変換して、転送フォーマット変換部７５に出力する。
【００４７】
＜カラーデータ処理部の処理＞
次に、図４を用いて、カラーデータ処理部の処理について、説明する。
【００４８】
まず、ＤＭＡコントローラ７２が、記憶メモリ７１から読み出した画像データ等の表示データやＯＳＤデータを表示データ転送部７３へＤＭＡ転送し、表示データ転送部７３は、ＤＭＡコントローラ７２からＤＭＡ転送された表示データとＯＳＤデータとを合成して、この第１のカラーデータを外部表示データ変換部８０に入力する（ステップＳ１０１）。
【００４９】
入力した第１のカラーデータは、判断部８１に送られ、第１のカラーデータの各画素データの色差成分のビットデータ同士が一致するか否か判断される（ステップＳ１０２）。
【００５０】
このとき、判断部８１が第１のカラーデータの各画素データの色差成分のビットデータ同士が一致しないと判断した場合（ステップＳ１０２の「Ｎｏ」）には、判断部８１が４：４：４／４：２：２変換部８４への経路を遮断して、表示データ転送部７３から入力した表示データをＬＰＦ８２に入力するように、切り換えスイッチ８３を操作する。そして、ＬＰＦ８２において、画素データをフィルタリング処理して、色差成分のビットデータがより少ない第２のカラーデータに対応する画素データを生成する（ステップ１０３）。
【００５１】
一方、判断部８１が第１のカラーデータの各画素データの色差成分のビットデータ同士が一致すると判断した場合（ステップＳ１０２の「Ｙｅｓ」）には、一致した色差成分毎に、ビットデータ同士が共通するように、第３のカラーデータに対応する画素データを生成する（ステップＳ１０４）。
【００５２】
生成された第２のカラーデータおよび第３のカラーデータに対応する画素データは、切り換えスイッチ８３を介して、４：４：４／４：２：２変換部８４に入力され、ビットデータの並べ替え処理を経て、ＹＵＶ＝４：２：２のパラレルデータとして転送フォーマット変換部７５に出力される。転送フォーマット変換部７５は、例えば、ＨＤＭＩ規格に準拠した外部表示装置７６への転送フォーマットにデジタルデータを変換し、テレビモニター等の外部表示装置７６に出力される（ステップＳ１０５）。
【００５３】
本実施形態によれば、判断部８１が入力した第１のカラーデータの各画素データの色差成分のビットデータ同士が一致するか否かを判断し、一致する場合には、切り換えスイッチ８３を操作して、一致した色差成分毎に、ビットデータ同士が共通するように、第３のカラーデータに対応する画素データを４：４：４／４：２：２変換部８４に入力し、一致しない場合には、切り換えスイッチ８３を操作して、ＬＰＦ８２において、画素データをフィルタリング処理して、色差成分のビットデータがより少ない第２のカラーデータに対応する画素データを４：４：４／４：２：２変換部８４に入力する。
【００５４】
４：４：４／４：２：２変換部８４では、入力する画素データをＹＵＶ＝４：２：２のパラレルデータに変換して、転送フォーマット変換部７５に出力し、転送フォーマット変換部７５が、例えば、ＨＤＭＩ規格に準拠した外部表示装置７６への転送フォーマットにデジタルデータを変換して外部表示装置７６に供給する。
【００５５】
したがって、入力されるデータの形式がどのような場合であっても、外部表示装置７６に、ＹＵＶ＝４：２：２の形式のデータを供給できることから、元の画像データの画像劣化を防止するとともに、ＯＳＤ境界で生ずる偽色の発生を、ＬＰＦのような小規模の回路により抑制することができる。
【００５６】
＜第２の実施形態＞
次に、図５を用いて、本発明の第２の実施形態について、説明する。
【００５７】
本実施形態に係る外部表示データ変換部は、図５に示すように、第１の実施形態に係る外部表示データ変換部の構成に対して、Ｙ・ＵＶ分離部８５と合成部８６とが追加された構成となっている。なお、第１の実施形態と同一の符号を付す構成要素に関しては、同一の機能を有するものであることから、その詳細な説明は省略する。
【００５８】
Ｙ・ＵＶ分離部８５は、判断部８１が、入力したカラーデータにおける各画素データの色差成分のビットデータ同士が一致しないと判断した場合に、入力された輝度成分（Ｙ）と色差成分（Ｕ、Ｖ）とからなるカラーデータから色差成分（Ｕ、Ｖ）のみを分離する。分離された色差成分（Ｕ、Ｖ）は、ＬＰＦ８２によりフィルタリング処理される。
【００５９】
合成部８６は、Ｙ・ＵＶ分離部８５により分離された輝度成分（Ｙ）と、分離後、ＬＰＦ８２によるフィルタリング処理を施された色差成分（Ｕ、Ｖ）とを合成して、ＹＵＶ＝４：２：２の形式のデータを生成する。
【００６０】
つまり、第１の実施形態では、ＹＵＶのすべてにＬＰＦ８２によるフィルタリング処理を行っていたが、本実施形態では、カラーデータから色差成分（Ｕ、Ｖ）のみを分離して、この色差成分（Ｕ、Ｖ）のみにＬＰＦ８２によるフィルタリング処理を行うことを特徴としている。これにより、ＬＰＦの処理負荷を軽減できるとともに、画像データの画像劣化をより抑制することができる。
【００６１】
なお、カラーデータ処理装置の処理をコンピュータ読み取り可能な記録媒体に記録し、この記録媒体に記録されたプログラムをカラーデータ処理装置に読み込ませ、実行することによって本発明のカラーデータ処理装置を実現することができる。ここでいうコンピュータシステムとは、ＯＳや周辺装置等のハードウェアを含む。
【００６２】
また、ソースとなるプログラムは、フレキシブルディスク、光磁気ディスク、ＲＯＭ、ＣＤ−ＲＯＭ等の可搬媒体等のコンピュータ読み取り可能な記録媒体で提供される。また、ソースとなるプログラムは、コンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。また、ソースとなるプログラムは、前述した機能の一部を実現するためのものであっても良い。更に、前述した機能をコンピュータシステムにすでに記録されているプログラムとの組み合わせで実現できるもの、いわゆる差分ファイル（差分プログラム）であっても良い。
【００６３】
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。例えば、本実施形態においては、判断部において、入力されたカラーデータにおける各画素データの色差成分のビットデータ同士が一致するか否かの判断を行っていたが、これに限らず、入力されたカラーデータにおける各画素データの色差成分が予め設定された設定値よりも小さいか否かによって判断する方法であってもよい。この場合には、判断部における処理負荷が軽減できるとともに、簡易な回路構成で装置を構成できるという効果がある。
【図面の簡単な説明】
【００６４】
【図１】第１の実施形態に係る撮像装置の機能ブロック図である。
【図２】第１の実施形態に係るカラーデータ処理部の機能ブロック図である。
【図３】第１の実施形態に係る外部表示データ変換部の機能ブロック図である。
【図４】第１の実施形態に係るカラーデータ処理部の処理フローチャートである。
【図５】第２の実施形態に係る外部表示データ変換部の機能ブロック図である。
【符号の説明】
【００６５】
１０・・・ストロボ発光部
２０・・・キー入力部、
２１・・・ＬＣＤ、
３０・・・レンズ、
３１・・・レンズ駆動ブロック、
３２・・・絞り兼用シャッター、
４０・・・ＣＣＤ、
４１・・・画像処理部、
４２・・・外部表示Ｉ／Ｆ（Ｉｎｔｅｒｆａｃｅ）、
４３・・・外部通信Ｉ／Ｆ（Ｉｎｔｅｒｆａｃｅ）、
４４・・・ストロボ駆動部、
４５・・・記録メディア、
４６・・・記録メディアＩ／Ｆ（Ｉｎｔｅｒｆａｃｅ）、
４７・・・メモリ、
４８・・・ＤＲＡＭ（Ｄｙｎａｍｉｃ  Ｒａｎｄｏｍ  Ａｃｃｅｓｓ  Ｍｅｍｏｒｙ）
６０・・・ＣＰＵ（Ｃｅｎｔｒａｌ  Ｐｒｏｃｅｓｓｉｎｇ  Ｕｎｉｔ）、
７０・・・カラーデータ処理部、
７１・・・記憶メモリ、
７２・・・ＤＭＡ（Ｄｉｒｅｃｔ  Ｍｅｍｏｒｙ  Ａｃｃｅｓｓ）コントローラ、
７３・・・表示データ転送部、
７５・・・転送フォーマット変換部、
７６・・・外部表示装置、
８０・・・外部表示データ変換部、
８１・・・判断部、
８２・・・ＬＰＦ（Ｌｏｗ  Ｐａｓｓ  Ｆｉｌｔｅｒ）、
８３・・・切り換えスイッチ、
８４・・・４：４：４／４：２：２変換部、
８５・・・Ｙ・ＵＶ分離部、
８６・・・合成部、
１００・・・撮像装置
【図１】
2009124224.tif 000003
【図２】
2009124224.tif 000004
【図３】
2009124224.tif 000005
【図４】
2009124224.tif 000006
【図５】
2009124224.tif 000007